【手続補正書】
【提出日】平成16年3月3日(2004.3.3)
【手続補正１】
【補正対象書類名】明細書
【補正対象項目名】特許請求の範囲
【補正方法】変更
【補正の内容】
【特許請求の範囲】
【請求項１】
各々異なる認証データを入力する複数の認証データ入力手段と、
前記複数の認証データ入力手段のうち決済される金額に応じて選択される１つのデータ入力手段を指定するための指定データを受信する受信制御手段と、
前記指定データによって指定された認証データ入力手段により入力された認証データを送信する送信制御手段とを備えたことを特徴とする携帯情報機器。
【請求項２】
前記受信手段により受信された指定データによって指定された認証データ入力手段を明示するための明示手段を備えたことを特徴とする請求項１記載の携帯情報機器。
【請求項３】
前記指定された認証データ入力手段により入力された認証データと照合される照合データを記憶する参照データ記憶手段を有し、
前記送信制御手段は、前記入力された認証データと共に前記照合データを送信することを特徴とする請求項１記載の携帯情報機器。
【請求項４】
前記複数の認証データ入力手段は、人体に固有のデータを入力する固有データ入力手段と、
非固有のデータを入力する非固有データ入力手段とを含むことを特徴とする請求項１記載の携帯情報機器。
【請求項５】
決済される金額に応じて複数の認証データ入力手段のうち１つのデータ入力手段を選択する選択手段と、
この選択手段で選択された認証データ入力手段を指定するための指定データを送信する送信制御手段と、
前記指定データに応答して送信される認証データを受信する受信制御手段と、
この受信制御手段により受信された認証データに基づき、認証処理を実行する処理手段とを備えたことを特徴とする認証装置。
【請求項６】
前記受信制御手段は、認証データと共に照合データを受信して、
前記処理手段は、認証データと共に照合データとを比較することを特徴とする請求項５記載の認証装置。
【請求項７】
携帯情報機器と認証装置とで構成される認証システムであって、
前記携帯情報機器は、
各々認証データを入力する複数の認証データ入力手段と、
前記複数の認証データ入力手段のうち決済される金額に応じて選択される１つのデータ入力手段を指定するための指定データを受信する受信制御手段と、
前記指定データによって指定された認証データ入力手段により入力された認証データを送信する送信制御手段とを備え、
前記認証装置は、
決済される金額に応じて前記複数の認証データ入力手段のうち１つのデータ入力手段を選択して、選択された認証データ入力手段を指定するための指定データを送信する送信制御手段と、
前記携帯情報機器の送信制御手段により送信された認証データを受信する受信制御手段と、
この受信制御手段により受信された認証データに基づき、認証処理を実行する処理手段とを備えたことを特徴とする認証システム。
【請求項８】
前記携帯情報機器は、前記受信手段により受信された指定データによって指定された認証データ入力手段を明示するための明示手段を備えたことを特徴とする請求項７記載の認証システム。
【請求項９】
前記携帯情報機器は、前記指定された認証データ入力手段により入力された認証データと照合される照合データを記憶する参照データ記憶手段を有し、
前記送信制御手段は、前記入力された認証データと共に前記照合データを送信し、
前記認証装置は、前記認証データと前記照合データとを受信して２つのデータを比較することを特徴とする請求項７記載の認証システム。
【請求項１０】
前記携帯情報機器の前記複数の認証データ入力手段は、人体に固有のデータを入力する固有データ入力手段と、
非固有のデータを入力する非固有データ入力手段とを含むことを特徴とする請求項７記載の認証システム。
【手続補正２】
【補正対象書類名】明細書
【補正対象項目名】０００７
【補正方法】変更
【補正の内容】
【０００７】
【課題を解決するための手段】
前記課題を解決するために請求項１記載の発明にかかる携帯情報機器にあっては、各々異なる認証データを入力する複数の認証データ入力手段と、前記複数の認証データ入力手段のうち決済される金額に応じて選択される１つのデータ入力手段を指定するための指定データを受信する受信制御手段と、前記指定データによって指定された認証データ入力手段により入力された認証データを送信する送信制御手段とを備える。したがって、この情報機器を携帯していれば、使用する認証データが異なる複数の認証装置に対応することができる。よって、サービスのユーザは、煩雑性を伴うことなく、必要とするサービスを適時的に受けることが可能となる。
また、認証に基づいて決済される金額に応じて異なる認証データ入力手段を使用するので、適切にセキュリティを確保することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
また、請求項５記載の発明にかかる認証装置にあっては、決済される金額に応じて複数の認証データ入力手段のうち１つのデータ入力手段を選択する選択手段と、この選択手段で選択された認証データ入力手段を指定するための指定データを送信する送信制御手段と、前記指定データに応答して送信される認証データを受信する受信制御手段と、この受信制御手段により受信された認証データに基づき、認証処理を実行する処理手段とを備える。したがって、この認証装置のみにより、価格が異なる複数のサービス毎に異なる認証データを用いる複数種の認証に対応することができる。
また、認証に基づいて決済される金額に応じて異なる認証データ入力手段を使用するので、適切にセキュリティを確保することができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
また、請求項７記載の発明にかかる認証装置にあっては、携帯情報機器と認証装置とで構成される認証システムであって、前記携帯情報機器は、各々認証データを入力する複数の認証データ入力手段と、前記複数の認証データ入力手段のうち決済される金額に応じて選択される１つのデータ入力手段を指定するための指定データを受信する受信制御手段と、前記指定データによって指定された認証データ入力手段により入力された認証データを送信する送信制御手段とを備え、前記認証装置は、決済される金額に応じて前記複数の認証データ入力手段のうち１つのデータ入力手段を選択して、選択された認証データ入力手段を指定するための指定データを送信する送信制御手段と、前記携帯情報機器の送信制御手段により送信された認証データを受信する受信制御手段と、この受信制御手段により受信された認証データに基づき、認証処理を実行する処理手段とを備える。したがって、この認証システムにより、サービスのユーザは、煩雑性を伴うことなく、必要とするサービスを適時的に受けることでき、サービスの事業者にあっては、価格が異なる複数のサービス毎に異なる認証データを用いて、適切にセキュリティを確保することができる。


【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】０１１５
【補正方法】変更
【補正の内容】
【０１１５】
【発明の効果】
以上説明したように本発明は、各々異なる複数種の認証データを生成して送信するようにしたことから、使用する認証データが異なる複数の認証装置に対応することができる。したがって、価格が異なる複数のサービス毎に異なる認証データを用いる複数種の認証に対応することができる。よって、サービスのユーザは、煩雑性を伴うことなく、必要とするサービスを適時的に受けることが可能となる。また、ユーザが複数種の認証装置を携帯しなければならない煩雑性に起因して、本人認証を伴うサービス等の普及が阻害され、利用率が低下する不都合を解消することもできる。


【手続補正１９】
【補正対象書類名】明細書
【補正対象項目名】０１１７
【補正方法】変更
【補正の内容】
【０１１７】
また、認証に基づいて決済される金額に応じて異なる認証データを要求し、この要求に応じた認証データを送信するようにした。よって、サービスの価格に応じた適切な認証データが要求されることにより、本人認証を条件としてサービス等を提供する事業者側のセキュリティ確保と、認証を受けるユーザ側の操作負担を調和させることができる。


【手続補正２０】
【補正対象書類名】明細書
【補正対象項目名】０１１８
【補正方法】削除
【補正の内容】